(57)【特許請求の範囲】
【請求項１】
光を発する光源と、該光源から発せられた光のうちの複数の単色光を集光する集光部とを有する投射型表示装置の前記光源と前記集光部との間に着脱自在に装填される液晶パネルであって、
前記投射型表示装置に装填された装填状態で前記各単色光がそれぞれ透過する第１、第２および第３の光透過領域を有し、
前記第１、第２および第３の光透過領域は、連結または一体化され、第１の方向に沿って２列に配列され、
前記第１の光透過領域と前記第３の光透過領域は、１列目に互いに離間して設けられ、
前記第２の光透過領域は、２列目の前記第１の光透過領域と前記第３の光透過領域との間に設けられていることを特徴とする液晶パネル。
【請求項２】
前記第１の光透過領域の短辺と前記第３の光透過領域の短辺は、前記第１の方向に沿って配置され、
前記第１の光透過領域の長辺と前記第３の光透過領域の長辺は、前記第１の方向と交差する第２の方向に沿って配置され、
前記第２の光透過領域の短辺は、前記第２の方向に沿って配置され、
前記第２の光透過領域の長辺は、前記第１の方向に沿って配置されていることを特徴とする請求項１の液晶パネル。
【請求項３】
前記複数の単色光は、赤色光、緑色光および青色光を含み、
前記赤色光が、前記第１の光透過領域を透過し、
前記緑色光が、前記第２の光透過領域を透過し、
前記青色光が、前記第３の光透過領域を透過することを特徴とする請求項１または２に記載の液晶パネル。
【請求項４】
前記光源と、
前記複数の単色光を集光する集光部と、
請求項１〜３のいずれかに記載の液晶パネルと、
前記光源と前記集光部との間に設けられ、前記液晶パネルを支持する枠状の装填部本体と、該装填部本体の前記液晶パネルの装填方向に沿って形成され装填方向に前記液晶パネルを案内するガイド部と、を有し、前記液晶パネルが着脱自在に装填される装填部とを有することを特徴とする投射型表示装置。
【請求項５】
前記光源は、白色光を発するものであり、
前記装填部を介して前記集光部と対向して設置され、前記光源から発せられた前記白色光を複数の単色光に分光する分光部を有し、
前記分光部は、前記各単色光に対応するダイクロイックミラーを複数有し、これらのダイクロイックミラーが連結または一体化されている請求項４に記載の投射型表示装置。
【発明の詳細な説明】
【技術分野】
【０００１】
本発明は、液晶パネルおよび投射型表示装置に関する。
【背景技術】
【０００２】
スクリーン上に、画像を投影する投射型表示装置が知られている。投射型表示装置では、その画像形成に主として液晶パネル（液晶光シャッター）が用いられている。このような投射型表示装置としては、例えば、特許文献１に記載された装置が知られている。
特許文献１の投射型表示装置は、ダイクロイックプリズムと、ダイクロイックプリズムの異なる３方向に設置された３枚の液晶パネルとを有している。この投射型表示装置は、各液晶パネルを透過した赤色光、緑色光、青色光がダイクロイックプリズムで集光されて、その集光された光が画像として投射されるよう構成されている。
【０００３】
さて、一般的に、投射型表示装置では、例えば使用時間や使用環境等の使用条件により液晶パネルが劣化して、コントラストの低下等の表示品質の低下が生じていた。このため、劣化した（使用済の）液晶パネルを、未使用の液晶パネルに交換する必要があった。
しかしながら、特許文献１の投射型表示装置では、劣化した液晶パネルの交換するとき、３枚の液晶パネルに対して交換を行うため、その交換作業が煩雑となるという問題があった。
また、３枚の未使用の液晶パネルを設置した後、各液晶パネルに対して位置決め作業を行うため、その作業も煩雑となる問題があった。
【０００４】
【特許文献１】特開平１１−２１８７４６号公報
【発明の開示】
【発明が解決しようとする課題】
【０００５】
本発明の目的は、交換を容易に行うことができる液晶パネル、および、かかる液晶パネルを装填可能な投射型表示装置を提供することにある。
【課題を解決するための手段】
【０００６】
このような目的は、下記の本発明により達成される。
本発明の液晶パネルは、光を発する光源と、該光源から発せられた光のうちの複数の単色光を集光する集光部とを有する投射型表示装置の前記光源と前記集光部との間に着脱自在に装填される液晶パネルであって、前記投射型表示装置に装填された装填状態で前記各単色光がそれぞれ透過する第１、第２および第３の光透過領域を有し、前記第１、第２および第３の光透過領域は、連結または一体化され、第１の方向に沿って２列に配列され、
前記第１の光透過領域と前記第３の光透過領域は、１列目に互いに離間して設けられ、
前記第２の光透過領域は、２列目の前記第１の光透過領域と前記第３の光透過領域との間に設けられていることを特徴とする。
これにより、各光透過領域が同時に投射型表示装置に対し着脱可能に液晶パネルが構成
されているため、当該液晶パネルの交換を容易に行うことができる。さらに、装填状態で、各光透過領域を各単色光がそれぞれ確実に透過し、鮮明な画像を得ることができる。
【０００７】
本発明の液晶パネルでは、前記第１の光透過領域の短辺と前記第３の光透過領域の短辺は、前記第１の方向に沿って配置され、前記第１の光透過領域の長辺と前記第３の光透過領域の長辺は、前記第１の方向と交差する第２の方向に沿って配置され、前記第２の光透過領域の短辺は、前記第２の方向に沿って配置され、前記第２の光透過領域の長辺は、前記第１の方向に沿って配置されていることが好ましい。
本発明の液晶パネルでは、  前記複数の単色光は、赤色光、緑色光および青色光を含み、  前記赤色光が、前記第１の光透過領域を透過し、前記緑色光が、前記第２の光透過領域を透過し、前記青色光が、前記第３の光透過領域を透過することが好ましい。
【００１２】
本発明の投射型表示装置は、前記複数の単色光を集光する集光部と、請求項１〜３のいずれかに記載の液晶パネルと、前記光源と前記集光部との間に設けられ、前記液晶パネルを支持する枠状の装填部本体と、該装填部本体の前記液晶パネルの装填方向に沿って形成され装填方向に前記液晶パネルを案内するガイド部と、を有し、前記液晶パネルが着脱自在に装填される装填部とを有することを特徴とする。
これにより、液晶パネルの交換をより容易に行うことができる。
【００１６】
本発明の投射型表示装置は、前記光源は、白色光を発するものであり、前記装填部を介して前記集光部と対向して設置され、前記光源から発せられた前記白色光を複数の単色光に分光する分光部を有し、前記分光部は、前記各単色光に対応するダイクロイックミラーを複数有し、これらのダイクロイックミラーが連結または一体化されていることが好ましい。
これにより、分光部自体におけるダイクロイックミラー同士の位置関係が確実に固定され、よって、分光部に入射する光を確実に分光することができる。
【発明を実施するための最良の形態】
【００１９】
以下、本発明の液晶パネルおよび投射型表示装置を添付図面に示す好適な実施形態に基づいて詳細に説明する。
＜第１実施形態＞
図１は、本発明の投射型表示装置（第１実施形態）の光学系を模式的に示す図、図２は、図１に示す投射型表示装置における装填部と該装填部に装填された液晶パネル（第１実施形態）とを示す斜視図、図３は、図２に示す装填部および液晶パネルの分解斜視図、図４は、図２に示す液晶パネルを模式的に示す断面図である。なお、図１（図７も同様）中の左右方向をｘ軸方向、ｘ軸方向に対して垂直な方向、すなわち、上下方向をｙ軸方向という。また、図２および図３中の上側を「上」または「上方」といい、下側を「下」または「下方」という。また、図２および図３中の上下方向をｚ軸方向という。
【００２０】
図１に示す本発明の投射型表示装置１は、本発明の液晶パネル７が装填されるものである。以下、液晶パネル７が投射型表示装置１（装填部４）に装填された状態を「装填状態」という。
図１に示すように、投射型表示装置１は、照明光学系３０と、照明光学系３０からの白色光を３つ（複数）の単色光に分光する分光部３と、分光部３によって分光された３つの単色光を集光する集光部２と、液晶パネル７が着脱自在に装填される装填部４と、光路長調整手段５と、投射レンズ（投射光学系）４０とを有している。
また、図２および図３に示すように、液晶パネル７は、その全体形状が長尺状（板状（例えば平面視で長方形をなす））をなすものである。この液晶パネル７は、パネル基板７４と、装填状態で各単色光がそれぞれ透過する光透過領域７１、７２および７３とを有している。
【００２１】
まず、投射型表示装置１について説明する。
照明光学系３０は、光源３０１と、インテグレータレンズ３０２および３０３と、ミラー３０４と、集光レンズ３０５とを有している。
光源３０１は、白色光（白色光束）をｙ軸正方向に出射する（発する）ものである。
インテグレータレンズ３０２および３０３は、光源３０１の白色光の出射側に配置されている。
【００２２】
また、インテグレータレンズ３０２および３０３は、それぞれ、白色光が透過可能に対向配置されている。これにより、インテグレータレンズ３０２および３０３を透過した白色光は、その光強度（輝度分布）が均一にされる。
インテグレータレンズ３０３の白色光の出射側には、ミラー３０４が設けられている。ミラー３０４は、その鏡面がｘ軸方向およびｙ軸方向のそれぞれに対し４５度傾斜して設けられている。これにより、インテグレータレンズ３０２および３０３を透過した白色光は、ミラー３０４で図１中左方（ｘ軸正方向）に反射して、集光レンズ３０５に向う。
【００２３】
ミラー３０４の白色光の出射側（反射方向）には、集光レンズ３０５が設置されている。集光レンズ３０５を透過した白色光は、集光レンズ３０５により整形され、分光部３に入射する。
分光部３は、集光レンズ３０５の出射面３０５ａ側に設置されている。この分光部３は、光源３０１から出射され、インテグレータレンズ３０２および３０３と、ミラー３０４と、集光レンズ３０５とを順次経由した白色光を、３つの単色光に分光する部位である。投射型表示装置１では、分光される３つの単色光は、それぞれ、赤色光（Ｒ）、緑色光（Ｇ）および青色光（Ｂ）である。
【００２４】
図１に示すように、分光部３は、ダイクロイックミラー３１および３２と、ミラー３３および３４とを有している。
ダイクロイックミラー３１は、青色光（Ｂ）のみを反射する（赤色光（Ｒ）および緑色光（Ｇ）が透過する）ミラーである。
このダイクロイックミラー３１は、分光部３の白色光が入射する（ｘ軸方向に対して垂直な）入射面３５を介して、集光レンズ３０５と反対側に配置されている。また、ダイクロイックミラー３１は、分光部３の入射面３５に対し図１中４５度傾斜して設置されている。
【００２５】
このような配置のダイクロイックミラー３１により、青色光（Ｂ）のみがｙ軸負方向に反射する。
ダイクロイックミラー３２は、赤色光（Ｒ）のみを反射する（緑色光（Ｇ）および青色光（Ｂ）が透過する）ミラーである。
このダイクロイックミラー３２は、その途中がダイクロイックミラー３１の途中と直交して設置されている。これにより、赤色光（Ｒ）のみがｙ軸正方向に反射する。
【００２６】
ミラー３３は、ダイクロイックミラー３２と平行な姿勢で、ダイクロイックミラー３２の反射側に設けられている。これにより、ダイクロイックミラー３２を反射した赤色光（Ｒ）は、ミラー３３でｘ軸正方向に向って反射され、出射面３６から出射する。
また、出射面３６から出射した赤色光（Ｒ）は、装填状態の液晶パネル７の光透過領域７１を透過する（図２参照）。
【００２７】
ミラー３４は、ダイクロイックミラー３１と平行な姿勢で、ダイクロイックミラー３１の反射側に設けられている。これにより、ダイクロイックミラー３１を反射した青色光（Ｂ）は、ミラー３４でｘ軸正方向に向って反射され、出射面３６から出射する。
また、出射面３６から出射した青色光（Ｂ）は、装填状態の液晶パネル７の光透過領域７３を透過する（図２参照）。
【００２８】
また、分光部３では、緑色光（Ｇ）は、ダイクロイックミラー３１および３２を透過し、出射面３６から出射する。さらに、出射面３６から出射した緑色光（Ｇ）は、装填状態の液晶パネル７の光透過領域７２を透過する（図２参照）。
このような構成の分光部３では、ダイクロイックミラー３１および３２と、ミラー３３および３４とが連結または一体化されているもの（第１のダイクロイックミラー群）が好ましい。
これにより、分光部３自体におけるミラー同士の位置関係が確実に固定され、よって、分光部３に入射する白色光を確実に分光することができる。また、分光部３自体がユニット化され、よって、分光部３を投射型表示装置１に組み込むのが容易となる、すなわち、投射型表示装置１の組立（製造）が容易となる。
【００２９】
図１に示すように、集光部２は、分光部３の出射面３６側に、装填部４を介して、分光部３に対向する位置に設置されている。この集光部２は、分光部３によって分光された赤色光（Ｒ）、緑色光（Ｇ）および青色光（Ｂ）を集光する部位である。
集光部２は、ダイクロイックミラー２１および２２と、ミラー２３および２４とを有している。
【００３０】
ミラー２３は、集光部２のｘ軸方向に対して垂直な入射面２５を介して、分光部２のミラー３３に対応する位置（分光部２のミラー３３と反対側）に設けられている。ミラー２３は、入射面２５に対し図１中４５度傾斜して、すなわち、分光部２のミラー３３に対し９０度傾斜して設置されている。
このように配置されたミラー２３により、分光部２の出射面３６から出射した赤色光（Ｒ）は、ミラー２３でｙ軸負方向に向って反射され、ダイクロイックミラー２２に入射する。
【００３１】
ダイクロイックミラー２２は、赤色光（Ｒ）のみを反射する（緑色光（Ｇ）および青色光（Ｂ）が透過する）ミラーである。このダイクロイックミラー２２は、ミラー２３と平行な姿勢で、ミラー２３の反射側に設けられている。これにより、ダイクロイックミラー２２を反射した赤色光（Ｒ）は、ｘ軸正方向に向って反射され、出射面２６から出射する。
【００３２】
また、出射面２６から出射した赤色光（Ｒ）は、投射レンズ４０に向う。
ミラー２４は、集光部２の入射面２５を介して、分光部２のミラー３４に対応する位置（分光部２のミラー３４と反対側）に設けられている。ミラー２４は、ミラー２３に対し図１中９０度傾斜して、すなわち、分光部２のミラー３４に対し９０度傾斜して設置されている。
【００３３】
このように配置されたミラー２４により、分光部３の出射面３６から出射した青色光（Ｂ）は、ミラー２４でｙ軸負正向に向って反射され、ダイクロイックミラー２１に入射する。
ダイクロイックミラー２１は、青色光（Ｂ）のみを反射する（赤色光（Ｒ）および緑色光（Ｇ）が透過する）ミラーである。
【００３４】
このダイクロイックミラー２１は、ミラー２４と平行な姿勢で、ミラー２４の反射側に設けられている。また、このダイクロイックミラー２１は、その途中がダイクロイックミラー２２の途中と直交して設置されている。
これにより、ダイクロイックミラー２１を反射した青色光（Ｂ）は、ｘ軸正方向に向って反射され、出射面２６から出射する。
【００３５】
また、出射面２６から出射した青色光（Ｂ）は、投射レンズ４０に向う。
また、集光部２では、緑色光（Ｇ）は、ダイクロイックミラー２１および２２を透過し、出射面２６から出射する。さらに、出射面２６から出射した緑色光（Ｇ）は、投射レンズ４０に向う。
このような構成の集光部２では、ダイクロイックミラー２１および２２と、ミラー２３および２４とが連結または一体化されているもの（第２のダイクロイックミラー群）が好ましい。
【００３６】
これにより、集光部２自体におけるミラー同士の位置関係が確実に固定され、よって、集光部２に入射する赤色光（Ｒ）、緑色光（Ｇ）および青色光（Ｂ）を確実に集光することができる。また、集光部２自体がユニット化され、よって、集光部２を投射型表示装置１に組み込むのが容易となる、すなわち、投射型表示装置１の組立（製造）が容易となる。
【００３７】
図１に示すように、分光部３と集光部２との間には、液晶パネルが装填される装填部４が設けられている。
図２および図３に示すように、装填部４は、装填部本体４１と、液晶パネル７を案内するガイド部（ガイド溝）４２と、回路基板４５と、カバー４６と、摩擦低減手段とを有している。
【００３８】
装填部本体４１は、コ字状（枠状）の部材で構成され、装填状態の液晶パネル７を支持するものである。
装填部本体４１では、対向する２つの辺４１１および４１２と、それらを連結する１つの辺４１３とで囲まれる空間４１４の形状（大きさ）は、液晶パネル７の外形とほぼ同等に設定されている。これにより、装填状態の液晶パネル７を確実に支持することができる。
【００３９】
装填部本体４１の辺４１２の上部には、当該辺４１２の長手方向（装填部本体４１の液晶パネル７の装填方向）に沿って、ガイド部４２が形成されている。
装填部４に液晶パネル７を装填するとき、ガイド部７が、その形成方向に沿って液晶パネル７を案内する。これにより、装填部４に対する液晶パネル７の抜き差しが容易となり、よって、液晶パネル７の交換をより容易に行うことができる。
【００４０】
また、図３に示すように、投射型表示装置１に対する液晶パネル７の装填方向は、液晶パネル７の長手方向とほぼ一致している。これにより、装填部４に対する液晶パネル７の抜き差しがより容易となり、よって、液晶パネル７の交換をさらに容易に行うことができる。
また、ガイド部４２に液晶パネル７の下部が入り込んでいることにより、装填状態の液晶パネル７は、分光部３および集光部２のそれぞれに対する、図２中のｘ軸方向および上下方向の位置決めが行われる。
このように、ガイド部４２は、分光部３および集光部２のそれぞれに対して、装填状態の液晶パネル７の図２中のｘ軸方向および上下方向の位置決めを行う位置決め手段として機能している。
【００４１】
図３に示すように、ガイド部４２の底部（下部）には、その底部（ｙ軸方向）に沿って、ローラ４２１が複数設けられている。各ローラ４２１は、液晶パネル７が装填されるときに生じる液晶パネル７とガイド部４２との摩擦を低減する摩擦低減手段として機能するものである。
このようなローラ４２１により、装填部４に対する液晶パネル７の抜き差しがより容易となり、よって、液晶パネル７の交換をより容易に行うことができる。
【００４２】
また、複数のローラ４２１は、等間隔に配置されているのが好ましい。これにより、液晶パネル７が円滑に移動することができる。したがって、装填部４に対する液晶パネル７の抜き差しがより容易となり、よって、液晶パネル７の交換をより容易に行うことができる。
また、摩擦低減手段は、複数のローラ４２１で構成されたものであるのに限定されず、例えば、ガイド部４２の底部にテフロンコート（「テフロン」は、登録商標）を施したものでもよい。
【００４３】
装填部本体４１の下部には、回路基板４５が設置されている。この回路基板４５は、投射型表示装置１の制御部（図示せず）と電気的に接続されており、前記制御部（投射型表示装置１）からの画像信号に基づいて、装填状態の液晶パネル７を駆動させる基板である。
また、回路基板４５には、装填状態で、液晶パネル７の端子部７５と電気的に接続される端子部４５１が設けられている。この端子部４５１は、例えば、異方導電性ゴムで構成されたものである。
【００４４】
カバー４６は、長方形の板状をなすものであり、装填部本体４１の前面（集光部２側の面）を覆うように設置される。
このカバー４６には、装填状態の液晶パネル７の光透過領域７１、７２および７３のそれぞれに対応した開口部４６１が設けられている。図２に示すように、各開口部４６１からは、装填状態の液晶パネル７の光透過領域７１、７２および７３がそれぞれ露出する。
【００４５】
また、カバー４６の裏面（装填部本体４１側の面）の縁部には、一対の爪４６２が突出形成されている。これらの爪４６２は、カバー４６の幅方向に離間して設けられている。各爪４６２は、ｘ軸負方向に、例えば圧縮コイルバネ（図示せず）により、付勢されている。
このような一対の爪４６２は、装填状態の液晶パネル７の縁部７６に係合しつつ、当該液晶パネル７をｘ軸負方向に押圧する。これにより、分光部３および集光部２のそれぞれに対して、図２中、ｙｚ軸方向の位置決めが行われる。
【００４６】
なお、液晶パネル７の縁部７６に各爪４６２に対応する凹部を設けてもよい。これにより、装填状態で、各爪４６２が縁部７６の前記凹部に係合し、よって、液晶パネル７が不本意に装填部４から離脱するのを確実に防止することができる。
また、装填部４に、装填状態の各爪４６２と縁部７６の前記凹部との係合を解除する解除機構を設けてもよい。これにより、液晶パネル７の交換を容易に行うことができる。
【００４７】
また、爪４６２の設置数は、２つであるのに限定されず、例えば、３つ以上であってもよい。
また、各爪４６２の形状としては、特に限定されないが、例えば、くさび状、ブロック状等が挙げられる。
前述したように、ガイド部４２および各爪４６２は、分光部３および集光部２のそれぞれに対して、装填状態の液晶パネル７の位置決めを行う位置決め手段として機能するものである。
【００４８】
これにより、液晶パネル７を装填状態としたとき、光透過領域７１、７２および７３が、分光部３および集光部２に対して、同時に確実に位置決めされる。よって、液晶パネル７の交換が迅速かつ容易に行われる。
また、光透過領域７１、７２および７３が同時に位置決めされるため、光透過領域７１、７２および７３のそれぞれに対して位置決めを行うのを省略することができる。これにより、液晶パネル７の交換をより迅速かつ容易に行うことができる。
【００４９】
図１に示すように、投射型表示装置１では、赤色光（Ｒ）と青色光（Ｂ）とは、それらの光路長が等しくなっており、赤色光（Ｒ）（青色光（Ｂ）も同様）と緑色光（Ｇ）とは、それらの光路長が異なっている。
そこで、投射型表示装置１は、赤色光（Ｒ）および緑色光（Ｇ）のそれぞれの光路長が異なるのを解消するように、すなわち、赤色光（Ｒ）および緑色光（Ｇ）のそれぞれの光路長が等しくなるように、緑色光（Ｇ）の光路長を調整する光路長調整手段５を有している。
【００５０】
光路長調整手段５は、例えばリレーレンズ５１で構成されており、出射面３６の緑色光（Ｇ）が出射する部分に設置されているものと、入射面２５の緑色光（Ｇ）が入射する部分に設置されているものとを有している。
このような光路長調整手段５により、赤色光（Ｒ）および緑色光（Ｇ）のそれぞれの光路長が異なるのが確実に解消され、よって、鮮明な画像を得ることができる。
【００５１】
次に、液晶パネル７について説明する。
図１〜図３に示す液晶パネル７は、投射型表示装置１からの画像信号に基づいて作動し、これにより、画像を形成するものである。前述したように、この液晶パネル７は、投射型表示装置１の装填部４に対して着脱自在に装着される。
液晶パネル７は、パネル基板７４と、装填状態で単色光（Ｒ）、（Ｇ）および（Ｂ）がそれぞれ透過する光透過領域７１、７２および７３とを有している。
【００５２】
パネル基板７４は、その全体形状が長尺状をなすものである。これにより、液晶パネル７を把持し易くなり、よって、液晶パネル７の交換をより容易に行うことができる。
図４に示すように、パネル基板７４は、マイクロレンズ基板１３と、かかるマイクロレンズ基板１３のバリア層１３３上に設けられ、開口１１１が形成されたブラックマトリックス１１と、バリア層１３３上にブラックマトリックス１１を覆うように設けられた透明導電膜（共通電極）１２とを有している。
【００５３】
マイクロレンズ基板１３は、透明基板１３５と、該透明基板１３５上に設けられたマイクロレンズ形成層１３６とを有している。マイクロレンズ形成層１３６では、マイクロレンズ形成層１３６を構成する樹脂により多数のマイクロレンズ１３７が形成されている。
透明基板１３５は、マイクロレンズ基板１３の基材として機能する部分である。
透明基板１３５の片面（図４中の上面）には、湾曲凹面を有する複数の凹部１３５ａが形成されている。そして、透明基板１３５の当該凹部１３５ａが形成された面に、マイクロレンズ形成層１３６を設けることにより、マイクロレンズ形成層１３６を構成する樹脂が各凹部１３５ａ内に充填され、湾曲凸状のマイクロレンズ１３７が形成される。このマイクロレンズ１３７は、所定の配置で（例えば行列状に）所定数形成されている。
【００５４】
マイクロレンズ形成層１３６上には、中間層（下地層）１３４を介してバリア層１３３が設けられている。
中間層１３４は、種々の目的で形成することができ、その一例として、バリア層１３３の密着性を向上するために設けることができる。なお、中間層１３４は、高分子材料で構成されているのが好ましく、特に、ベンゾシクロブテン樹脂、ポリイミド、エポキシ樹脂のような熱硬化性樹脂や、アクリル含有複合樹脂（アルキレングリコールモノアルキルアセテート、アクリル樹脂および他官能アクリルモノマー含有）のような熱可塑性樹脂が好ましい。これらのなかでも特に、ベンゾシクロブテン樹脂、アクリル含有複合樹脂が好ましい。
【００５５】
このような中間層１３４上には、例えば薄膜で構成されたバリア層１３３が設けられている。これにより、マイクロレンズ形成層１３６との間で水分または有機成分の移行を阻止することができる。
透明導電膜１２は、導電性を有し、例えば、インジウムティンオキサイド（ＩＴＯ）、インジウムオキサイド（ＩＯ）、酸化スズ（ＳｎＯ２）、酸化亜鉛（ＺｎＯ）などで構成されたものである。
【００５６】
このパネル基板７４の下部には、光透過領域７１、７２および７３（ＴＦＴ基板１７）と電気的に接続される端子部７５が帯状に形成されている。端子部７５は、光透過領域７１、７２および７３の各画素に対応した端子を有し、これらの端子が集合して構成されたものである。このような構成の端子部７５は、装填状態で、回路基板４５の端子部４５１と電気的に接続され、端子部７５および端子部４５１の対応する端子同士が導通する。
【００５７】
光透過領域７１、７２および７３は、それぞれ、構成がほぼ同一であるため、光透過領域７１を代表的に説明する。
光透過領域７１は、平面視での形状がほぼ長方形をなす領域である。
図４に示すように、光透過領域７１は、パネル基板７４に接合されたＴＦＴ基板（液晶駆動基板）１７と、ＴＦＴ基板１７とパネル基板７４との空隙に封入された液晶よりなる液晶層１８とを有している。
【００５８】
ＴＦＴ基板１７は、液晶層１８の液晶を駆動するための基板であり、ガラス基板１７１と、かかるガラス基板１７１上に設けられた多数の個別電極１７２と、かかる個別電極１７２の近傍に設けられ、各個別電極１７２に対応する多数の薄膜トランジスタ（ＴＦＴ）１７３とを有している。
この液晶パネル７では、パネル基板７４の透明導電膜１２と、ＴＦＴ基板１７の個別電極１７２とが対向するように、ＴＦＴ基板１７とパネル基板７４とが、一定距離離間して接合されている。
【００５９】
ガラス基板１７１は、例えば、石英ガラスなどで構成されている。
個別電極１７２は、透明導電膜（共通電極）１２との間で充放電を行うことにより、液晶層１８の液晶を駆動する。この個別電極１７２は、例えば、前述した透明導電膜１２と同様の材料で構成されている。
薄膜トランジスタ１７３は、近傍の対応する個別電極１７２に接続されている。また、薄膜トランジスタ１７３は、装填状態で、端子部７５および装填部４の端子部４５１を介して、投射型表示装置１と接続され、個別電極１７２へ供給する電流を制御する。これにより、個別電極１７２の充放電が制御される。
【００６０】
液晶層１８は液晶分子（図示せず）を含有しており、個別電極１７２の充放電に対応して、かかる液晶分子、すなわち液晶の配向が変化する。
この液晶パネル７では、通常、１個のマイクロレンズ１３７と、かかるマイクロレンズ１３７の光軸Ｑに対応したブラックマトリックス１１の１個の開口１１１と、１個の個別電極１７２と、かかる個別電極１７２に接続された１個の薄膜トランジスタ１７３とが、１画素に対応している。
【００６１】
以上のように構成された液晶パネル７では、パネル基板７４側から入射した赤色光（Ｒ）は、透明基板１３５を通り、マイクロレンズ１３７（マイクロレンズ形成層１３６）を通過する際に集光されつつ、中間層１３４、バリア層１３３、ブラックマトリックス１１の開口１１１、透明導電膜１２、液晶層１８、個別電極１７２、ガラス基板１７１を透過する。このとき、光透過領域７１が有する各画素は、赤色用の画像信号に基づいて作動するＴＦＴ基板１７の駆動により、スイッチング制御（オン／オフ）、すなわち変調される。これにより、赤色光（Ｒ）は光透過領域７１で変調され、赤色用の画像が形成される。
【００６２】
さて、図２および図３に示すように、光透過領域７１、７２および７３は、パネル基板７４（液晶パネル７）のほぼ同一面方向に、すなわち、パネル基板７４の長手方向に沿って１列に配列されている。これにより、装填状態で、光透過領域７１を赤色光（Ｒ）が確実に透過し、光透過領域７２を緑色光（Ｇ）が確実に透過し、光透過領域７３を青色光（Ｂ）が確実に透過する。よって、鮮明な画像を得ることができる。
【００６３】
また、液晶パネル７では、光透過領域７１、７２および７３は、連結または一体化されている。これにより、液晶パネル７は、光透過領域７１、７２および７３が同時に装填部４に対し着脱可能に構成されることとなり、当該液晶パネル７の交換を容易に行うことができる。
また、前述したように、光透過領域７１、７２および７３は、それぞれ長方形をなしており、パネル基板７４の長手方向に沿って１列に配列されている。この場合、光透過領域７１、７２および７３は、それらの長辺同士が隣接するように配列されていてもよいし、短辺同士が隣接するように、配列されていてもよい。
【００６４】
また、液晶パネル７の交換としては、劣化した液晶パネル７を、未使用の液晶パネル７に交換するのに限定されず、例えば、以下に記載する場合が挙げられる。
例えば、画素の互いに異なる複数の液晶パネル７を用意し、それらを適宜使い分ける（交換する）場合が挙げられる。この場合、投射される画像の質を変更することができる。また、１つの液晶パネル７を使用し続ける場合よりも、各液晶パネル７の使用時間が短くなり、各液晶パネル７の寿命を延ばすことができる。また、画素の互いに異なる複数の液晶パネル７を使い分ける場合、各液晶パネル７の端子部７５の端子数がそれぞれ異なるが、前述のように装填部４（回路基板４５）の端子部４５１は異方導電性ゴムで構成されているため、端子数の異なる場合であっても、対応することができる。
【００６５】
また、例えば、液晶パネル７が損傷した場合が挙げられる。
次に、装填状態の投射型表示装置１の作動について説明する。
まず、装填部４に液晶パネル７を装填して、投射型表示装置１を装填状態とする。
光源３０１から出射された白色光（白色光束）は、インテグレータレンズ３０２および３０３を透過する。この白色光の光強度（輝度分布）は、インテグレータレンズ３０２および３０３により均一にされる。
【００６６】
インテグレータレンズ３０２および３０３を透過した白色光は、ミラー３０４で図１中左方に反射し、その反射光は、集光レンズ３０５により整形され、分光部３に入射する。
分光部３に入射した白色光は、前述したように、赤色光（Ｒ）、緑色光（Ｇ）および青色光（Ｂ）に分光される。
分光された赤色光（Ｒ）、緑色光（Ｇ）および青色光（Ｂ）は、それぞれ、液晶パネル７の光透過領域７１、７２および７３に入射する。
【００６７】
この際、光透過領域７１が有する各画素は、赤色用の画像信号に基づいて作動するＴＦＴ基板１７の駆動により、スイッチング制御（オン／オフ）、すなわち変調される。これと同様に、光透過領域７２が有する各画素は、緑色用の画像信号に基づいて作動するパネル基板７４の駆動により、スイッチング制御（オン／オフ）され、光透過領域７３が有する各画素は、青色用の画像信号に基づいて作動するパネル基板７４の駆動により、スイッチング制御（オン／オフ）される。
【００６８】
これにより、赤色光（Ｒ）、緑色光（Ｇ）および青色光（Ｂ）は、それぞれ、光透過領域７１、７２および７３で変調され、赤色用の画像、緑色用の画像および青色用の画像がそれぞれ形成される。
光透過領域７１により形成された赤色用の画像、すなわち光透過領域７１からの赤色光（Ｒ）は、集光部２に入射する。
【００６９】
また、光透過領域７２により形成された緑色用の画像、すなわち光透過領域７２からの緑色光（Ｇ）は、集光部２に入射し、光透過領域７３により形成された青色用の画像、すなわち光透過領域７３からの青色光（Ｂ）は、集光部２に入射する。
集光部２に入射した赤色光（Ｒ）、緑色光（Ｇ）および青色光（Ｂ）は、前述したように集光（合成）され、これによりカラーの画像が形成される。この画像は、投射レンズ４０により、所定の位置に設置されているスクリーン３２０上に投影（拡大投射）される。
なお、投射型表示装置１では、分光部３に入射した白色光は、緑色光（Ｇ）が直進し、緑色光（Ｇ）に対して赤色光（Ｒ）が図１中ｙ軸正方向に分光され、緑色光（Ｇ）に対して青色光（Ｂ）がｙ軸負方向に分光されるよう構成されているが、これに限定されず、各単色光が入れ替わったように分光するよう構成されていてもよい。
【００７０】
＜第２実施形態＞
図５は、本発明の投射型表示装置（第２実施形態）の分光部および集光部と液晶パネル（第２実施形態）とを模式的に示す斜視図、図６は、図５に示す分光部および集光部と液晶パネルとの３面図（（ａ）は図５中矢印Ａ側から見た平面図、（ｂ）は図５中矢印Ｂ側から見た正面図、（ｃ）は図５中矢印Ｃ側から見た側面図）である。
【００７１】
なお、図５（図９も同様）では、分光部および集光部と液晶パネルとが互いに離間しており、その離間の程度を誇張して描いている。また、図５および図６（図９も同様）では、装填部を省略して描いている。また、図５中の上下方向（装填状態の液晶パネルの厚さ方向）をｚ軸方向、ｚ軸方向に対して垂直な一方向（装填状態の液晶パネルの長手方向）をｘ軸方向、ｘ軸方向およびｚ軸方向に対して垂直な方向（装填状態の液晶パネルの幅方向）をｙ軸方向という。
【００７２】
以下、これらの図を参照して本発明の液晶パネルおよび投射型表示装置の第２実施形態について説明するが、前述した実施形態との相違点を中心に説明し、同様の事項はその説明を省略する。
本実施形態は、投射型表示装置の分光部および集光部の構成と、液晶パネルの各光透過領域の配置とが異なること以外は前記第１実施形態と同様である。
【００７３】
図５に示すように、液晶パネル７Ａでは、光透過領域７１、７２および７３が千鳥格子状に配列されている。
換言すれば、液晶パネル７Ａでは、平面視で、光透過領域７１、７２および７３がｘ軸方向に沿って２列に配列されている。この配列において、１列目に光透過領域７１および７３が互いに離間して配置されている。光透過領域７１および７３は、それらの各長辺がｙ軸方向と平行となり、各短辺がｘ軸方向と平行となるように配置されている。また、２列目に光透過領域７１と光透過領域７３との間に光透過領域７２が配置されている、すなわち、光透過領域７２は、光透過領域７３を９０度反転させたように、長辺がｘ軸方向と平行となり、短辺がｙ軸方向と平行となるように配置されている。以下、液晶パネル７Ａの光透過領域７１および７３側の列を「１列目」といい、光透過領域７２側の列を「２列目」という。
このように構成された液晶パネル７Ａは、装填状態で、光透過領域７１を赤色光（Ｒ）が透過し、光透過領域７２を緑色光（Ｇ）が透過し、光透過領域７３を青色光（Ｂ）が透過する（例えば図５参照）。
【００７４】
次に、本実施形態の投射型表示装置１Ａの分光部３Ａについて図５および図６を参照しつつ説明する。
分光部３Ａは、ダイクロイックミラー３１Ａ、３２Ａおよび３７Ａと、ミラー３３Ａおよび３４Ａとを有している。
ダイクロイックミラー３１Ａは、青色光（Ｂ）のみを反射する（赤色光（Ｒ）および緑色光（Ｇ）が透過する）ミラーである。
【００７５】
このダイクロイックミラー３１Ａは、分光部３Ａの１列目に設けられており、分光部３Ａの入射面３５に対し図５中４５度傾斜して配置されている。
このような配置のダイクロイックミラー３１Ａにより、青色光（Ｂ）のみがｘ軸正方向に反射する。
ダイクロイックミラー３２Ａは、赤色光（Ｒ）のみを反射する（緑色光（Ｇ）および青色光（Ｂ）が透過する）ミラーである。
【００７６】
このダイクロイックミラー３２Ａは、ダイクロイックミラー３１Ａと同様に分光部３Ａの１列目に設けられており、当該ダイクロイックミラー３２Ａの途中がダイクロイックミラー３１Ａの途中と直交して配置されている。これにより、赤色光（Ｒ）のみがｘ軸負方向に反射する。
ミラー３３Ａは、ダイクロイックミラー３２Ａの反射方向に設けられている。このミラー３３Ａは、ｘ軸方向に対して４５度傾斜して配置されている（例えば図６（ｂ）参照）。これにより、ダイクロイックミラー３２Ａを反射した赤色光（Ｒ）は、ミラー３３Ａでｚ軸正方向に向って反射され、出射面３６から出射する。
【００７７】
また、出射面３６から出射した赤色光（Ｒ）は、装填状態の液晶パネル７Ａの光透過領域７１を透過する（図５参照）。
ミラー３４Ａは、ダイクロイックミラー３１Ａの反射方向に設けられている。このミラー３４Ａは、ミラー３３Ａとのなす角が９０度となるように配置されている（例えば図６（ｂ）参照）。これにより、ダイクロイックミラー３１Ａを反射した青色光（Ｂ）は、ミラー３４Ａでｚ軸正方向に向って反射され、出射面３６から出射する。
【００７８】
また、出射面３６から出射した青色光（Ｂ）は、装填状態の液晶パネル７Ａの光透過領域７３を透過する（図５参照）。
ダイクロイックミラー３７Ａは、ダイクロイックミラー３１Ａおよび３２Ａを透過した緑色光（Ｇ）のみを反射するミラーである。このダイクロイックミラー３７Ａは、分光部３Ａの２列目に設けられており、分光部３Ａの入射面３５に対し４５度傾斜して配置されている（例えば図６（ｃ）参照）。
【００７９】
このような配置のダイクロイックミラー３７Ａにより、緑色光（Ｇ）がｚ軸正方向に反射され、出射面３６から出射する。
また、出射面３６から出射した緑色光（Ｇ）は、装填状態の液晶パネル７Ａの光透過領域７２を透過する（図５参照）。
以上のような分光部３Ａの構成により、分光部３Ａに入射した白色光は、赤色光（Ｒ）、緑色光（Ｇ）、青色光（Ｂ）に分光され、その分光された状態で各単色光が液晶パネル７Ａに入射する。
【００８０】
次に、投射型表示装置１Ａの集光部２Ａについて図５および図６を参照しつつ説明する。
集光部２Ａは、ダイクロイックミラー２１Ａ、２２Ａおよび２７Ａと、ミラー２３Ａおよび２４Ａとを有している。
ミラー２３Ａは、分光部３Ａのミラー３３Ａの反射方向に位置している。このミラー２３Ａは、入射面２５に対し４５度傾斜して、すなわち、分光部３Ａのミラー３３Ａに対し９０度傾斜して設置されている（図６（ｂ）参照）。
【００８１】
このように配置されたミラー２３Ａにより、分光部３Ａの出射面３６から出射した赤色光（Ｒ）は、ミラー２３Ａでｘ軸負正向に向って反射され、ダイクロイックミラー２２Ａに入射する（図６（ａ）参照）。
【００８２】
ダイクロイックミラー２２Ａは、赤色光（Ｒ）のみを反射する（緑色光（Ｇ）および青色光（Ｂ）が透過する）ミラーである。
このダイクロイックミラー２２Ａは、集光部２Ａの１列目に設けられており、ｘ軸方向およびｙ軸方向に対し４５度傾斜して配置されている。これにより、ダイクロイックミラー２２Ａを反射した赤色光（Ｒ）は、ｙ軸正方向に向って反射され、出射面２６から出射する。
【００８３】
ミラー２４Ａは、分光部３Ａのミラー３４Ａの反射方向に位置している。このミラー２４Ａは、入射面２５に対し４５度傾斜して、すなわち、分光部３Ａのミラー３４Ａに対し９０度傾斜して設置されている（図６（ｂ）参照）。
このように配置されたミラー２４Ａにより、分光部３Ａの出射面３６から出射した青色光（Ｂ）は、ミラー２４Ａでｘ軸負負向に向って反射され、ダイクロイックミラー２１Ａに入射する。
【００８４】
ダイクロイックミラー２１Ａは、青色光（Ｂ）のみを反射する（赤色光（Ｒ）および緑色光（Ｇ）が透過する）ミラーである。
このダイクロイックミラー２１Ａは、ダイクロイックミラー２２Ａと同様に集光部２Ａの１列目に設けられており、当該ダイクロイックミラー２１Ａの途中がダイクロイックミラー２２Ａの途中と直交して配置されている（図６（ａ）参照）。これにより、ダイクロイックミラー２１Ａを反射した青色光（Ｂ）は、ｙ軸正方向に向って反射され、出射面２６から出射する。
【００８５】
ダイクロイックミラー２７Ａは、緑色光（Ｇ）のみを反射するミラーである。このダイクロイックミラー２７Ａは、集光部２Ａの２列目に設けられており、入射面２５に対し４５度傾斜して、すなわち、分光部３Ａのダイクロイックミラー３７Ａに対し９０度傾斜して配置されている（例えば図６（ｃ）参照）。
このような配置のダイクロイックミラー２７Ａにより、緑色光（Ｇ）がｙ軸正方向に反射され、ダイクロイックミラー２１Ａおよび２２Ａを透過して、出射面３６から出射する。
【００８６】
以上のような集光部２Ａの構成により、分光された状態で集光部２Ａに入射した赤色光（Ｒ）、緑色光（Ｇ）、青色光（Ｂ）は、合成され、その状態で出射する。
また、投射型表示装置１Ａでは、分光部３Ａのダイクロイックミラー３１Ａ、３２Ａおよび３７Ａとミラー３３Ａおよび３４Ａとが前述したような配置になっており、集光部２Ａのダイクロイックミラー２１Ａ、２２Ａおよび２７Ａとミラー２３Ａおよび２４Ａとが前述したような配置になっていることにより、分光部３Ａ、液晶パネル７Ａ、集光部２Ａを順次経た赤色光（Ｒ）および緑色光（Ｇ）の光路長が互いに等しくなるよう設定されている（例えば図５参照）。これにより、鮮明な画像を得ることができる。
また、投射型表示装置１Ａでは、分光部３Ａに入射した白色光は、緑色光（Ｇ）が直進し、緑色光（Ｇ）に対して赤色光（Ｒ）が図５中ｘ軸負方向に分光され、緑色光（Ｇ）に対して青色光（Ｂ）がｘ軸正方向に分光されるよう構成されているが、これに限定されず、各単色光が入れ替わったように分光するよう構成されていてもよい。
【００８７】
＜第３実施形態＞
図７は、本発明の投射型表示装置（第３実施形態）の光学系を模式的に示す図、図８は、図７に示す投射型表示装置の光源の平面図である。
以下、これらの図を参照して本発明の投射型表示装置の第３実施形態について説明するが、前述した実施形態との相違点を中心に説明し、同様の事項はその説明を省略する。
【００８８】
本実施形態は、光源の構成が異なること以外は前記第１実施形態と同様である。
図７に示す投射型表示装置１Ｂの照明光学系３０Ａは、光源３０１Ａと、３枚の拡散板３０６とを有している。また、投射型表示装置１Ｂでは、前記第１実施形態の投射型表示装置１に設置されていた分光部３が省略されている。
光源３０１Ａは、互いに異なる波長の単色光、すなわち、赤色光（Ｒ）、緑色光（Ｇ）および青色光（Ｂ）をそれぞれ発する単色光源３０７ａ、３０７ｂおよび３０７ｃで構成されている。単色光源３０７ａは、赤色光（Ｒ）を発するものである。単色光源３０７ｂは、緑色光（Ｇ）を発するものである。単色光源３０７ｃは、青色光（Ｂ）を発するものである。
【００８９】
また、投射型表示装置１Ｂでは、単色光源３０７ａ、３０７ｂおよび３０７ｃは、ｙ軸方向、すなわち、液晶パネル７の長手方向に沿って順に配置されている。これにより、前記分光部３で白色光を分光したのとほぼ同様に、赤色光（Ｒ）、緑色光（Ｇ）および青色光（Ｂ）がそれぞれ、液晶パネル７および集光部２に順次入射する。
このように、投射型表示装置１Ｂでは、前記分光部３を省略する、すなわち、構成を簡単なものとすることができる。また、光源３０１Ａを液晶パネル７に近接して設置することができ、よって、各単色光の光路長を比較的短いものとすることができる。
【００９０】
単色光源３０７ａ、３０７ｂおよび３０７ｃは、ほぼ同一の構成であるため、以下、単色光源３０７ａを代表的に説明する。
図８に示すように、単色光源３０７ａは、複数の発光ダイオード３０８と、各発光ダイオード３０８を支持する基板（回路基板）３０９とを有している。
基板３０９は、平面視で形状が長方形をなす板状体で構成されている。
【００９１】
単色光源３０７ａでは、基板３０９に対し、複数の発光ダイオード３０８が行列状をなすように配置されている。図８に示す構成では、基板３０９の幅方向に沿って３つの発光ダイオード３０８が配置されて、基板３０９の長手方向に沿って４つの発光ダイオード３０８が配置されている。すなわち、図８に示す構成では、複数の発光ダイオード３０８が３行４列に配置されている。
【００９２】
このように複数の発光ダイオード３０８が配置されていることにより、液晶パネル７の光透過領域７１に対して、単色光源３０７ａからの光を均一に照射することができる。これにより、スクリーン３２０で得えられる画像が鮮明なものとなる。
また、単色光源３０７ａ（単色光源３０７ｂおよび３０７ｃも同様）の出射側、すなわち、単色光源３０７ａと液晶パネル７（装填部４）との間には、拡散板３０６が設置されている。この拡散板３０６により、単色光源３０７ａからの光が拡散され、よって、液晶パネル７の光透過領域７１に対して、単色光源３０７ａからの光をより均一に照射することができる。また、液晶パネル７の光透過領域７１における照度を均一なものとすることができる。
【００９３】
また、発光ダイオード３０８は、例えば白色光を発する光源よりも、一般的に寿命が長い。これにより、例えば故障により単色光源３０７ａを修理したり交換したりするのを必要とする回数、すなわち、単色光源３０７ａのＭＴＢＦやＭＴＴＦを比較的長く設定することができる。
また、発光ダイオード３０８は、例えば白色光を発する光源よりも、点灯／消灯が迅速に行なわれる。
また、単色光源３０７ａ（単色光源３０７ｂおよび３０７ｃも同様）での複数の発光ダイオード３０８の行数および列数は、前述したものに限定されないことは言うまでもない。
【００９４】
＜第４実施形態＞
図９は、本発明の投射型表示装置（第４実施形態）の集光部と液晶パネルと光源とを模式的に示す斜視図である。
以下、この図を参照して本発明の投射型表示装置の第４実施形態について説明するが、前述した実施形態との相違点を中心に説明し、同様の事項はその説明を省略する。
【００９５】
本実施形態は、光源の構成が異なること以外は前記第２実施形態と同様である。
図９に示す投射型表示装置１Ｄでは、液晶パネル７Ａの各光透過領域７１、７２および７３に対応して、すなわち、千鳥格子状に単色光源３０７ａ、３０７ｂおよび３０７ｃが配置されている。単色光源３０７ａは、光透過領域７１の下方（ｚ軸負方向）に位置している。単色光源３０７ｂは、光透過領域７２の下方に位置している。単色光源３０７ｃは、光透過領域７３の下方に位置している。
【００９６】
また、各単色光源３０７ａ、３０７ｂおよび３０７ｃと、液晶パネル７Ａとの間には、それぞれ、拡散板３０６が介在している。
このような構成により、前記第２実施形態とほぼ同様に、拡散板３０６、液晶パネル７Ａ、集光部２Ａを順次経た赤色光（Ｒ）、緑色光（Ｇ）および青色光（Ｂ）の光路長が互いに等しくなるよう設定することができる。これにより、鮮明な画像を得ることができる。
【００９７】
以上、本発明の液晶パネルおよび投射型表示装置を図示の実施形態について説明したが、本発明は、これに限定されるものではなく、液晶パネルおよび投射型表示装置を構成する各部は、同様の機能を発揮し得る任意の構成のものと置換することができる。また、任意の構成物が付加されていてもよい。
また、本発明の液晶パネルおよび投射型表示装置は、前記各実施形態のうちの、任意の２以上の構成（特徴）を組み合わせたものであってもよい。
例えば、前記第１実施形態の投射型表示装置が、前記第２実施形態の液晶パネルが装填可能に構成されていてもよい。
【図面の簡単な説明】
【００９８】
【図１】本発明の投射型表示装置（第１実施形態）の光学系を模式的に示す図である。
【図２】図２は、図１に示す投射型表示装置における装填部と該装填部に装填された液晶パネル（第１実施形態）とを示す斜視図である。
【図３】図２に示す装填部および液晶パネルの分解斜視図である。
【図４】図２に示す液晶パネルを模式的に示す断面図である。
【図５】本発明の投射型表示装置（第２実施形態）の分光部および集光部と液晶パネル（第２実施形態）とを模式的に示す斜視図である。
【図６】図５に示す分光部および集光部と液晶パネルとの３面図（（ａ）は図５中矢印Ａ側から見た平面図、（ｂ）は図５中矢印Ｂ側から見た正面図、（ｃ）は図５中矢印Ｃ側から見た側面図）である。
【図７】本発明の投射型表示装置（第３実施形態）の光学系を模式的に示す図である。
【図８】図７に示す投射型表示装置の光源の平面図である。
【図９】発明の投射型表示装置（第４実施形態）の集光部と液晶パネルと光源とを模式的に示す斜視図である。
【符号の説明】
【００９９】
１、１Ａ、１Ｂ、１Ｄ……投射型表示装置  ２、２Ａ……集光部  ２１、２２、２１Ａ、２２Ａ、２７Ａ……ダイクロイックミラー  ２３、２４、２３Ａ、２４Ａ……ミラー  ２５……入射面  ２６……出射面  ３、３Ａ……分光部  ３１、３２、３１Ａ、３２Ａ、３７Ａ……ダイクロイックミラー  ３３、３４、３３Ａ、３４Ａ……ミラー  ３５……入射面  ３６……出射面  ４……装填部  ４１……装填部本体  ４１１、４１２、４１３……辺  ４１４……空間  ４２……ガイド部（ガイド溝）  ４２１……ローラ  ４５……回路基板  ４５１……端子部  ４６……カバー  ４６１……開口部  ４６２……爪  ５……光路長調整手段  ５１……リレーレンズ  ７、７Ａ……液晶パネル  ７１、７２、７３……光透過領域  ７４……パネル基板  ７５……端子部  ７６……縁部  １１……ブラックマトリックス  １１１……開口  １２……透明導電膜（共通電極）  １３……マイクロレンズ基板  １３３……バリア層  １３４……中間層  １３５……透明基板  １３５ａ……凹部  １３６……マイクロレンズ形成層  １３７……マイクロレンズ  １７……ＴＦＴ基板（液晶駆動基板）  １７１……ガラス基板  １７２……個別電極  １７３……薄膜トランジスタ（ＴＦＴ）  １８……液晶層  ３０、３０Ａ……照明光学系  ３０１、３０１Ａ……光源  ３０２、３０３……インテグレータレンズ  ３０４……ミラー  ３０５……集光レンズ  ３０５ａ……出射面  ３０６……拡散板  ３０７ａ、３０７ｂ、３０７ｃ……単色光源  ３０８……発光ダイオード  ３０９……基板（回路基板）  ４０……投射レンズ  ３２０……スクリーン  Ｑ……光軸
【図１】
0004702192.tif 000002
【図２】
0004702192.tif 000003
【図３】
0004702192.tif 000004
【図４】
0004702192.tif 000005
【図５】
0004702192.tif 000006
【図６】
0004702192.tif 000007
【図７】
0004702192.tif 000008
【図８】
0004702192.tif 000009
【図９】
0004702192.tif 000010